(57)【要約】【課題】 本発明は、スキャンドライバを含むプラズマ表示パネルの駆動装置を提供する。【解決手段】 本発明に関するスキャンドライバを含むプラズマディスプレイパネルの駆動装置は、スキャンパルスとサステインパルスをそれぞれのY電極に印加してデータパルスをX電極に印加するプラズマ表示パネルの駆動装置に関する。本発明の駆動装置は、一つのY電極当り前記スキャンパルスを印加するための一つのスイチング素子を含んで、前記スイチング素子はターンオンされて前記スキャンパルスを選択されたY電極に印加する。残りスイチング素子は、ターンオフされる。本発明によれば、一つのスイチング素子だけでスキャン過程とサステイン過程を遂行することができるので、費用の減少と、スキャンドライバの嵩を減少させることができる。特に、本発明は選択されたチャンネルに当るスイチング素子だけがタンオンされて、残りチャンネルに当るスイチング素子はターンオフされることで電力消費を最小化する。【選択図】図３
2005250488.tif 000002
【特許請求の範囲】
【請求項１】
データパルスをデータ電極に印加するデータ電極駆動部と、
前記データ電極駆動部によって印加されたデータパルスに対応してスキャンパルスが印加される時、選択されたスキャン電極には電流が流れ、選択されないスキャン電極には電流が流れないようにする復数のスイチング手段を備えるスキャン電極駆動部と、を含むことを特徴とするプラズマ表示装置。 
【請求項２】
前記復数のスイチング手段は、選択されたスキャン電極をターンオンして、選択されないスキャン電極をターンオフすることを特徴とする、請求項１記載のプラズマ表示装置。 
【請求項３】
前記復数のスイチング手段は、各スキャン電極当り一つのスイチング素子を含むことを特徴とする、請求項１記載のプラズマ表示装置。 
【請求項４】
前記サステインパルスが前記スキャン電極に印加されるように前記サステインパルスを印加する時導通されるダイオードをさらに含むことを特徴とする、請求項１記載のプラズマ表示装置。 
【請求項５】
前記スイチング素子は電界効果トランジスタであることを特徴とする、請求項３記載のプラズマ表示装置。 
【請求項６】
前記スイチング素子は、前記データ電極に印加されるデータパルスと逆極性を持つスキャンパルスを前記選択されたスキャン電極に印加することを特徴とする、請求項３記載のプラズマ表示装置。 
【請求項７】
前記ダイオードの導通の時、前記スイチング素子はターンオフされることを特徴とする、請求項３記載のプラズマ表示装置。 
【請求項８】
前記ダイオードのカソード端は、前記スイチング素子の一方の端に繋がれ、前記ダイオードのアノード端は、前記スイチング素子の他の方の端に繋がれることを特徴とする、請求項3または4記載のプラズマ表示装置。
【請求項９】
データパルスをデータ電極に印加するデータ電極駆動部と、
前記データ電極駆動部によって印加されたデータパルスに対応してスキャンパルスが印加される時、選択されたスキャン電極には電流が流れ、選択されないスキャン電極には電流が流れないように各スキャン電極当り一つのスイチング素子を備えるスキャン電極駆動部と、
を含むことを特徴とするプラズマ表示装置。 
【請求項１０】
前記スイチング素子は、選択されたスキャン電極をターンオンすることを特徴とする請求項９記載のプラズマ 表示装置。 
【請求項１１】
前記サステインパルスが前記スキャン電極に印加されるように前記サステインパルスを印加する時導通されるダイオードをさらに含むことを特徴とする、請求項９記載のプラズマ表示装置。 
【請求項１２】
前記スイチング素子は電界効果トランジスタであることを特徴とする、請求項９記載のプラズマ表示装置。 
【請求項１３】
前記スイチング素子は、前記データ電極に印加されるデータパルスと逆極性を持つスキャンパルスを前記選択されたスキャン電極に印加することを特徴とする、請求項９記載のプラズマ表示装置。 
【請求項１４】
前記ダイオード導通の時、前記スイチング素子はターンオフされることを特徴とする、請求項１１記載のプラズマ表示装置。 
【請求項１５】
前記ダイオードのカソード端は、前記スイチング素子の一方の端に繋がれ、前記ダイオードのアノード端は、前記スイチング素子の他の方の端に繋がれることを特徴とする、請求項9または11記載のプラズマ表示装置。
【請求項１６】
データパルスをデータ電極に印加する段階と、
スキャンパルスが印加される時、選択されたスキャン電極には電流が流れ、選択されないスキャン電極には電流が流れないようにする復数のスイチング手段を制御する段階と、
を含むことを特徴とする表示装置駆動方法。
【請求項１７】
前記復数のスイチング手段は、各スキャン電極当り一つのスイチング素子を含むことを特徴とする、請求項１６記載のプラズマ表示装置駆動方法。 
【請求項１８】
前記サステインパルスが前記スキャン電極に印加されるように前記サステインパルスを印加する時導通されるダイオードをさらに含むことを特徴とする、請求項１６記載のプラズマ表示装置駆動方法。 
【請求項１９】
前記スイチング素子は、前記データ電極に印加されるデータパルスと逆極性を持つスキャンパルスを前記選択されたスキャン電極に印加することを特徴とする、請求項１７記載のプラズマ表示装置駆動方法。 
【請求項２０】
前記ダイオード導通の時、前記スイチング素子はターンオフされることを特徴とする、請求項１８記載のプラズマ表示装置駆動方法。
【請求項２１】
複数のスキャン電極と、前記複数のスキャン電極に交差するデータ電極とを備えるプラズマ表示装置を駆動する駆動装置であって、
スキャンパルス電圧源と各スキャン電極との間に接続された複数のスイッチング素子を備え、各スイッチング素子を順次導通させて、対応するスキャン電極にスキャンパルスを印加すると共に、前記スキャンパルスが印加されないスキャン電極に接続されたスイッチング素子を遮断するスキャン電極駆動部と、
前記スキャン電極駆動部による前記スキャン電極へのスキャンパルスの印加に対応して、前記データ電極にデータ電圧を印加するデータ電極駆動部と、
を備えることを特徴とするプラズマ表示装置の駆動装置。
【請求項２２】
前記スキャン電極駆動部は、前記各スキャン電極とグランドとの間に接続され、かつ、接続されているスキャン電極にスキャンパルスが印加されない間導通する第１ダイオードをさらに備えることを特徴とする、請求項２１に記載のプラズマ表示装置の駆動装置。
【請求項２３】
前記各スイッチング素子は、サステインパルス電圧源にさらに接続されており、
前記スキャン電極駆動部は、前記各スイッチング素子に並列接続された第２ダイオードであって、前記スイッチング素子に接続されたスキャン電極がサステインパルス印加時である間導通する前記第２ダイオードをさらに備えることを特徴とする、
請求項２１又は２２に記載のプラズマ表示装置の駆動装置。
【請求項２４】
複数のスキャン電極と、前記複数のスキャン電極に交差するデータ電極とを備えるプラズマ表示装置を駆動する駆動装置であって、
スキャンパルス電圧源及びサステインパルス電圧源と各スキャン電極との間に接続された複数のスイッチング素子と、各スキャン電極とグランドとの間に接続された第１ダイオードと、前記各スイッチング素子に並列接続された第２ダイオードとを備えたスキャン電極駆動部と、
前記スキャン電極駆動部による前記スキャン電極へのスキャンパルスの印加に対応して、前記データ電極にデータ電圧を印加するデータ電極駆動部と、
を備えることを特徴とするプラズマ表示装置の駆動装置。
【請求項２５】
前記スキャン電極駆動部は、前記各スイッチング素子を介して、対応するスキャン電極にスキャンパルスを印加すると共に、スキャンパルスを印加しないスキャン電極を当該スキャン電極に接続された第１ダイオードを介してグランドに接地する、請求項２４に記載のプラズマ表示装置の駆動装置。
【請求項２６】
前記スキャン駆動部は、前記第２ダイオードを介して前記スキャン電極にサステインパルス電圧を印加すると共に、前記第１ダイオードを介して前記スキャン電極をグランドに導通させることによって、前記スキャン電極にサステインパルスを印加することを特徴とする、請求項２４に記載のプラズマ表示装置の駆動装置。
【請求項２７】
複数のスキャン電極と、
前記複数のスキャン電極に交差するデータ電極と、
スキャンパルス電圧源と各スキャン電極との間に接続された複数のスイッチング素子を備え、各スイッチング素子を順次導通させて、対応するスキャン電極にスキャンパルスを印加すると共に、前記スキャンパルスが印加されないスキャン電極に接続されたスイッチング素子を遮断するスキャン電極駆動部と、
前記スキャン電極駆動部による前記スキャン電極へのスキャンパルスの印加に対応して、前記データ電極にデータ電圧を印加するデータ電極駆動部と、
を備えることを特徴とするプラズマ表示装置。
【請求項２８】
複数のスキャン電極と、
前記複数のスキャン電極に交差するデータ電極と、
スキャンパルス電圧源及びサステインパルス電圧源と各スキャン電極との間に接続された複数のスイッチング素子と、各スキャン電極とグランドとの間に接続された第１ダイオードと、前記各スイッチング素子に並列接続された第２ダイオードとを備えたスキャン電極駆動部と、
前記スキャン電極駆動部による前記スキャン電極へのスキャンパルスの印加に対応して、前記データ電極にデータ電圧を印加するデータ電極駆動部と、
を備えることを特徴とするプラズマ表示装置。
【発明の詳細な説明】
【技術分野】
【０００１】
本発明は、プラズマ表示パネルの駆動装置に関し、より詳しくはスキャンドライバを含むプラズマ表示パネルの駆動装置に関する。
【背景技術】
【０００２】
図１は、一般的なプラズマディスプレパネルの駆動装置のブロック構成図である。図１に示したように信号処理部１１０は外部で入力された映像信号をプラズマディスプレパネルの駆動に適応した映像データで変換する。
【０００３】
データ整列部１２０は、信号処理部１１０によって変換された映像データの階調(graｙscale)処理のために１ TVフィルドの映像データを複数のサブフィルド(subfield)に再構成する。
【０００４】
X電極駆動部１３０とY電極駆動部１４０は、プラズマディスプレパネルの放電セルに壁電圧を形成するためのアドレスパルスとスキャンパルスをそれぞれX電極とY電極に印加する。Y電極駆動部１４０とZ電極駆動部１５０は、壁電圧が形成された放電セルの放電を維持するためのサステインパルスを交互にそれぞれY電極とZ電極に印加する。
【０００５】
メイン制御部１６０は、外部映像信号によってデータ整列部(120)に再整列された映像データが順に判読し、X電極駆動部(130)に１スキャンライン分量ずつ供給されるように制御して、ロジック制御パルスを高圧駆動回路部１７０に印加する。
【０００６】
高圧駆動回路部１７０は、メイン制御部１６０からロジック制御パルスの印加を受けて、高圧制御パルスをX電極、Y電極及びZ電極駆動部１３０，１４０，１５０に印加する。
【０００７】
この時、Y電極駆動部１４０は、Y電極にスキャンパルスまたはサステインパルスを印加するために、図２に示したのようなスキャンドライバ２１０を含む。従来のスキャンドライバ２１０は、２個のスイチング素子を含むICパッケジ(Integrated Circuit package)である。 ２個のスイチング素子は一つのチャンネルを形成してY電極一つにスキャンパルスまたはサステインパルスを印加するから、耐圧が大きいスイチング素子が使われなければならない。このように従来のスキャンドライバ２１０は耐圧が大きい２個のスイチング素子で構成されているから費用が増加して、ICパッケジが大きくなる問題点が発生する。 
【０００８】
また、スキャンドライバ２１０によってスキャン過程で選されないチャンネルはいつも第１スイチング素子２１１−１乃至２１１−nがタンオンされてグラウンドレベルに維持されなければならないから、消費電力が増加してICパッケジの劣化が大きくなるようになる。 
【０００９】
例えば、スキャン過程で一番目Y電極(Y1)に当るチャンネルが選択されれば、残りY電極(Y2, Y3,……、Yn)に当るチャンネルは選されない。このようにチャンネルが選択されれば、選択されたチャンネルに当る一番目スキャンドライバ２１０−１の第２スイチング素子２１３−１がタンオンされてスキャン用スイチング素子２２０がタンオンされる。これと同時に、選されないチャンネルに当るスキャンドライバ（２１０−２乃至２１０−n)の第１スイチング素子（２１１−２乃至２１１−n)とグラウンド用スイチング素子２３０がタンオンされる。 
【００１０】
このように複数のスイチング素子が動作してX電極(X1乃至Xm)にデータパルスが印加されれば一番目ラインに位するセルに書き取り動作が成り立つ。また、データパルスは、残りY電極(Y２乃至Yn)に当るスキャンドライバ（２１０−２乃至２１０−n)の第１スイチング素子(２１１−２乃至２１１−n)とグラウンド用スイチング素子２３０を経ってグラウンドされる。 
【００１１】
この時、選択されたチャンネル(一つ)よりは選されないチャンネル(n−１個)がかなり多いのでグラウンドによって無駄な消費電力が大きくなるようになって、ICパッケジ内部の電源変動によって素子が劣化される確率が高いという問題点が発生する。 
【００１２】
図２の符号２４０は、Y電極にサステイン電圧(+Vsy)を印加するためのスイチング素子で、符号２５０は、Z電極にサステイン電圧 (+Vsz)を印加するためのスイチング素子である。
【発明の開示】
【発明が解決しようとする課題】
【００１３】
本発明は、かかる従来の問題点を解決するためのもので、その目的は、構造が簡易で消費電力を減らすことができるスキャンドライバを含むプラズマ表示パネルの駆動装置を提供するためのことである。
【課題を解決するための手段】
【００１４】
スキャンパルスとサステインパルスをそれぞれのY電極に印加してデータパルスをX電極に印加するプラズマ表示パネルの駆動装置において本発明の駆動装置は一つのY電極あたり前記スキャンパルスを印加するための一つのスイチング素子を含んで前記スイチング素子はタンオンされて前記スキャンパルスを選されたY電極に印加してのこりスイチング素子はトンオプされる。
【００１５】
本発明の実施形態によるプラズマディスプレパネルの駆動装置は一つのY電極当りスキャンパルスを印加するための一つのスイチング素子を含んで、前記スイチング素子はタンオンされて前記残りスキャンパルスを選されたY電極に印加して、残りスイチング素子はトンオプされることを特徴とする。
【００１６】
前記スイチング素子は負の電圧のスキャンパルスを前記選されたY電極に印加して、前記X電極に印加されるデータパルスは正の電圧であることを特徴とする。
【００１７】
本発明の実施形態によるプラズマディスプレパネルの駆動装置は前記サステインパルス印加の時導通されて前記サステインパルスが前記Y電極に印加されるようにするダイオドをさらに含むことを特徴とする。
【００１８】
前記ダイオド導通の時前記スイチング素子はトンオプされることを特徴とする。
【００１９】
前記ダイオドのカソード端は前記スイチング素子の一方に繋がれ前記ダイオドのアノード端は前記スイチング素子の他の方の端に繋がれることを特徴とする。
【発明の効果】
【００２０】
本発明は一つのスイチング素子だけでスキャン過程とサステイン過程を遂行することができるので費用の減少とスキャンドライバの嵩を減少させることができる。特に、選されたチャンネルに当るスイチング素子だけがタンオンされてのこりチャンネルに当るスイチング素子はトンオプされることで電力消費を最小化する。
【発明を実施するための最良の形態】
【００２１】
以下本発明の実施形態らを添付した図面に基づいて詳細に説明する。
【００２２】
図３は、本発明によるスキャンドライバを含むプラズマ表示パネルの駆動装置の回路図である。図３に示したように、本発明によるスキャンドライバは、一つのチャンネルごとに、一つのスイチング素子(ＳＷ１乃至ＳＷｎ)とダイオド(D１ 乃至 Dn)で構成される。この時、各スイチング素子（ＳＷ１・・ＳＷｎ）の一方の端部は、該チャンネルのY電極(Y１、Y２、．．．．．．、Yn)と繋がれる。各ダイオド(D１、 D２、．．．．．．、Dn)のカソード端は該のスィッチ素子の一方端に繋がれ、アノード端は該のスィッチの他の方の端に繋がれる。各ダイオード（Ｄ１乃至Ｄｎ）は、各スイッチ素子（ＳＷ１乃至ＳＷｎ）にそれぞれ並列接続されている。
【００２３】
次に、図３を参照して、スキャン過程とサステイン過程での本発明によるスキャンドライバの動作を詳細に説明する。 
【００２４】
グラウンド用スイチング素子３３０がターンオンされれば、すべてのスキャンドライバ(３１０−１、３１０−２、……、３１０−n)のVpp１乃至Vppn端子は、グラウンド電圧になる。すなわち、各チャンネルに当るY電極は、グラウンド用ダイオド(GD1、 GD2、．．．．．．、 GDn)によってグラウンドレベルになる。 
【００２５】
次いで、データドライバ(３４０−１乃至３４０−m)のプリントアウトと、特定スキャンドライバのスイチング素子(SW１乃至SWnの中一つ)がターンオンされて、特定スキャンドライバのスイチング素子を除いた残りスキャンドライバのスイチング素子は、ターンオフ状態を維持する。 
【００２６】
例えば、一番目Y電極(Y１)に当るスキャンドライバのスイチング素子(SW１)がターンオンされて、残りスキャンドライバのスイチング素子(SW２乃至SWn)はターンオフ状態を維持する。これによって、一番目Y電極(Y１)の電圧レベルは-VyになってX電極にレベルが+Vdのデータパルスが印加される。セルには+Vd電圧と-Vyの電圧の差、すなわちVy+Vdが印加されてセルが選される。選されない残りY電極の電圧レベルはグラウンドレベルになる。 
【００２７】
この時、残りスキャンドライバのスイチング素子(SW２乃至 SWn)はターンオフされているので電力の消費は小さい。すなわち、従来スキャンドライバの場合、選択されないチャンネルに当るスキャンドライバのスイチング素子は、ターンオンされて、そのレベルがグラウンドレベルになりながら無駄になる電力が増加する。一方、本発明によるスキャンドライバの場合、選択されないチャンネルに当るスキャンドライバは、一つのスイチング素子がターンオフされる事によって、無駄になる電力が小さい。
【００２８】
すべてのスキャンドライバは、これと等しく動作することですべてのY電極に対してスキャン過程が成り立つ。このようにすべてのY電極に対してスキャン過程が成り立てば、スキャンドライバはサステイン駆動を遂行する。
【００２９】
サステイン過程ではサステイン用スイチング素子３５０とグラウンド用スイチング素子３６０がターンオンされて、スキャンドライバのスイチング素子(SW１乃至SWn)が全てターンオフされればサステイン電圧源(Vsy)、スキャンドライバのダイオード(D1乃至Dn)、Y電極、セル、 Z電極、グラウンド用スイチング素子３６０及びグラウンドｇｎｄを通じてループ(loop)が形成されてサステインパルスが印加される。
【００３０】
次に、サステイン用スイチング素子３７０とグラウンド用スイチング素子３３０がタンオンされれば、サステイン電圧源(Vsz)、サステイン用スイッチング素子３７０、Z電極、セル、 Y電極、グランド用ダイオード（ＧＤ１乃至ＧＤｎ）、グラウンド用スイチング素子３３０及びグラウンドｇｎｄを通じて、ループ(loop)が形成されてサステインパルスが印加される。このようなスキャンドライバの動作によってスキャン過程とサステイン過程が成り立つ。
【００３１】
従来のプッシュプル(push-pull)接続のスキャン電極駆動部では不可欠な２個のスイチング素子を備えるが、本発明によるスキャン電極駆動部は一つのスキャン電極に対して一つのスイチング素子を備えることを特徴とする。この時、選択されたスキャン電極のスイチング素子はターンオンになる一方、選択されないスキャン電極のスイチング素子はターンオフされる。
【００３２】
従来のプッシュプル(push-pull)接続のスキャン電極駆動部では、選されないスキャン電極のスイチング素子中一つがターンオフされれば、残り一つのスイチング素子はグラウンドにターンオンされて電力消費が生じた。本発明は、スキャン電極にスキャンパルスが印加される時、選択されたスキャン電極には電流が流れて、選択されないスキャン電極には電流が流れないようにして電力消費を減らすようにすることを特徴とする。
【００３３】
図４は、本発明によるスキャンドライバが含まれたプラズマ表示パネルの駆動装置の駆動波形図である。図４に示すように、特定スキャンドライバのスイチング素子(SW1乃至SW中一つ)がターンオンして、残りスキャンドライバのスイチング素子がターンオフすれば、前記特定スキャンドライバに当るY電極に-Vyscanが印加されて、残りY電極にはグラウンドレベルが印加される。前記特定スキャンドライバに当るY電極に-Vyscanが印加されることと同期化されてX電極にデータ電圧（+Vd電圧または基準電圧（ｇｎｄ））が印加される。このようにVd+Vyscan電圧が印加されたセルは選されてデータ書込みが成り立てば、このようなデータ書込みは順にすべてのY電極に対して成り立つ。
【００３４】
このように、選択されたスキャンドライバのスイチング素子だけターンオンされて、残りスキャンドライバのスイチング素子はターンオンされるから、従来に生じた電力消費を減らすことだけではなく、高価なスイチング素子を一つだけ利用しても良いので費用を減少させることができると共に、スキャンドライバの嵩を減少させることができる。 
【００３５】
例えば一つのICパッケジが６４チャンネルを受け持つととすれば、６４個のスキャンドライバが存在する。従来のスキャンドライバは１２８個のスイチング素子と１２８個のダイオードを持たなければならない。一方、本発明は、その半分である６４個のスイチング素子と６４個のダイオードだけあれば良い。したがって、ICパッケジの大きさ面で小くなって価格が半分以上に縮小される。
【図面の簡単な説明】
【００３６】
【図１】一般的なプラズマディスプレパネルの駆動装置のブロック構成図である。
【図２】従来のスキャンドライバを含むプラズマ表示パネルの駆動装置の回路図である。
【図３】本発明によるスキャンドライバを含むプラズマ表示パネルの駆動装置の回路図である。
【図４】本発明によるスキャンドライバが含まれたプラズマ表示パネルの駆動装置の駆動波形図である。
【図１】
2005250488.tif 000003
【図２】
2005250488.tif 000004
【図３】
2005250488.tif 000005
【図４】
2005250488.tif 000006